(57)【特許請求の範囲】
【請求項１】
被検体内の流体を撮像し、撮像パルスシーケンスのパラメータが異なる複数の画像を収集する収集部と、
前記複数の画像を用いてハイブリッド画像を生成する生成部とを備え、
前記生成部は、前記ハイブリッド画像内の位置毎に、前記複数の画像の各位置の画素値に応じて前記ハイブリッド画像の画素値を求め、前記被検体の静脈に対応する位置においては高い画素値を選択し、前記被検体の動脈に対応する位置においては低い画素値を選択する、
磁気共鳴イメージング装置。
【請求項２】
被検体内の流体を撮像し、撮像パルスシーケンスのパラメータが異なる複数の画像を収集する収集部と、
前記複数の画像を用いてハイブリッド画像を生成する生成部とを備え、
前記生成部は、前記ハイブリッド画像内の位置毎に、前記複数の画像の各位置の画素値に応じて前記ハイブリッド画像の画素値を求め、前記被検体の動脈に対応する位置においては高い画素値を選択し、前記被検体の静脈に対応する位置においては低い画素値を選択する、
磁気共鳴イメージング装置。
【請求項３】
被検体内の流体を撮像し、撮像パルスシーケンスのパラメータが異なる複数の画像を収集する収集部と、
前記複数の画像を用いてハイブリッド画像を生成する生成部と、
前記ハイブリッド画像に基づきサブトラクション画像を生成するサブトラクション画像生成部を備え、
前記収集部は、前記被検体の心拡張期に少なくともひとつの画像を収集し、かつ、前記被検体の心収縮期に複数の画像を収集し、
前記生成部は、前記ハイブリッド画像内の位置毎に、前記複数の画像の各位置の画素値に応じて前記ハイブリッド画像の画素値を求め、前記心収縮期に収集された複数の画像から前記ハイブリッド画像を生成し、
前記サブトラクション画像生成部は、前記被検体の心拡張期に収集された画像と、前記ハイブリッド画像との差分を求めることで、前記サブトラクション画像を生成する、
磁気共鳴イメージング装置。
【請求項４】
前記収集部は、一次傾斜磁場モーメントが異なる複数の画像を収集する、請求項３に記載の磁気共鳴イメージング装置。
【請求項５】
前記収集部は、第１の値の一次傾斜磁場モーメントによって前記心拡張期に画像を収集し、第２の値及び第３の値の一次傾斜磁場モーメントによって前記心収縮期に複数の画像を収集するものであって、
前記第１の値における前記被検体の静脈を流れる血液から発生する信号の値、及び、前記第１の値における前記被検体の動脈を流れる血液から発生する信号の値を、それぞれの基準値とした場合に、
前記第３の値は、前記静脈を流れる血液から発生する信号、及び、前記動脈を流れる血液から発生する信号の双方が、それぞれの基準値から減衰するものであり、
前記第２の値は、前記第１の値と前記第３の値との中間値であり、前記静脈を流れる血液から発生する信号の前記基準値からの減衰幅が、前記動脈を流れる血液から発生する信号の前記基準値からの減衰幅と比較して小さい、請求項４に記載の磁気共鳴イメージング装置。
【請求項６】
前記生成部は、画像内の位置毎に、前記第１の値によって収集された画像の画素値と、前記第２の値によって収集された画像の画素値との差分を閾値と比較し、該差分が閾値より小さい場合には、該位置の画素値として前記第２の値によって収集された画像の画素値を選択し、該差分が閾値より大きい場合には、該位置の画素値として前記第３の値によって収集された画像の画素値を選択してハイブリッド画像を生成する、請求項５に記載の磁気共鳴イメージング装置。
【発明の詳細な説明】
【技術分野】
【０００１】
本発明の実施形態は、磁気共鳴イメージング装置及び磁気共鳴イメージング方法に関する。
【背景技術】
【０００２】
従来、磁気共鳴イメージングのひとつとして、造影剤を用いずに被検体内の流体を撮像する手法がある。
【先行技術文献】
【特許文献】
【０００３】
【特許文献１】米国特許出願公開第２００９／０２６１８２５号明細書
【特許文献２】米国特許第６８０１８００号明細書
【特許文献３】特開２００３−７０７６６号公報
【特許文献４】特開２００４−３２９６１４号公報
【非特許文献】
【０００４】
【非特許文献１】Fan,et  al.,"3D  Noncontrast  MR  Angiography  of  the  Distal  Lower  Extremities  Using  Flow-Sensitive  Dephasing(FSD)-Prepared  Balanced  SSFP,"  Magnetic  Resonance  in  Medicine,  volume62,  pages1523-1532(2009)
【非特許文献２】Fan,et  al.,"3D  Non-Contrast-Enhanced  MRA  Using  Flow-Sensitive  Dephasing(FSD)  Prepared  Balanced  SSFP:  Identification  of  the  Optimal  First-Order  Gradient  Moment,"  page1410,  17th  Annual  Scientific  Meeting  and  Exhibition  of  the  International  Society  of  Magnetic  Resonance  in  Medicine,  Stockholm,  Sweden,  (May2-5,2010)
【非特許文献３】Fan,  et al.,"Carotid  Arterial  Wall  MRI  at  3T  Using  3D  Variable-Flip-Angle  Turbo  Spin-Echo(TSE)  with  Flow-Sensitive  Dephasing(FSD),"  Journal  of  Magnetic  Resonance  Imaging,  volume31,  pages645-654(2010)
【非特許文献４】Fan,et  al.,"Non-Contrast-Enhanced  Hand  MRA  Using  Multi-directional  Flow-Sensitive  Dephasing,"  page405  17th  Annual  Scientific  Meeting  and  Exhibition  of  the  International  Society  of  Magnetic  Resonance  in  Medicine,  Stockholm,  Sweden,  (May2-5,2010)
【非特許文献５】Guo,et  al.,"3D  Non-Contrast  MRA  of  Lower  Extremities  Using  Balanced  SSFP  with  Flow-Sensitive  Dephasing(FSD)  at  3T,"  page3786,  17th  Annual  Scientific  Meeting  and  Exhibition  of  the  International  Society  of  Magnetic  Resonance  in  Medicine,  Stockholm,  Sweden,  (May2-5,2010)
【非特許文献６】Haacke,et  al.,"Magnetic  Resonance  Imaging:  Physical  Principles  and  Sequence  Design,  "New  York:  Wiley-Liss,  Chapter23,  pages673-675(1999)
【非特許文献７】Miyazaki,et  al.,"Peripheral  MR  Angiography:  Separation  of  Arteries  from  Veins  with  Flow-spoiled  Gradient  Pulses  in  Electrocardiography-triggered  Three-dimensional  Half-Fourier  Fast  Spin-Echo  Imaging,"  Radiology,  volume227,  pages890-896(June2003)
【非特許文献８】Wang,et  al.,"Improved  Suppression  of  Plaque-Mimicking  Artifacts  in  Black-Blood  Carotid  Atherosclerosis  imaging  Using  a  Multislice  Motion-Sensitized  Driven-Equilibrium(MSDE)  Turbo  Spin-Echo  (TSE)  Sequence,"  Magnetic  Resonance  in  Medicine,  Vol.58,  pages973-981(2007)
【非特許文献９】Haacke,et  al.,"Magnetic  Resonance  Imaging:  Physical  Principles  and  Sequence  Design,"  New  York:  Wiley-Liss,  chapter  23,  pages  673-675(1999)
【発明の概要】
【発明が解決しようとする課題】
【０００５】
しかしながら、従来の手法によっては、例えば、静脈によるコンタミネーションなどが生じ、必ずしも適切な画像を収集することができない場合がある。
【課題を解決するための手段】
【０００６】
実施形態に係る磁気共鳴イメージング装置は、収集部と、生成部とを備える。前記収集部は、被検体内の流体を撮像し、撮像パルスシーケンスのパラメータが異なる複数の画像を収集する。前記生成部は、前記複数の画像を用いてハイブリッド画像を生成する。また、前記生成部は、前記ハイブリッド画像内の位置毎に、前記複数の画像の各位置の画素値に応じて前記ハイブリッド画像の画素値を求め、前記被検体の静脈に対応する位置においては高い画素値を選択し、前記被検体の動脈に対応する位置においては低い画素値を選択する。
【図面の簡単な説明】
【０００７】
【図１】図１は、複数の画像（例えば、異なる撮像パラメータ（撮像パルスシーケンスのパラメータ）で取得された暗い動脈の画像（ＤＡ（Dark  Artery）画像））に基づくハイブリッド（hybrid）画像（例えば、ハイブリッドＤＡ画像）を用いることで、磁気共鳴血管撮像（ＭＲＡ（Magnetic  Resonance  Angiography））のデータを収集及び処理するＭＲＩ（Magnetic  Resonance  Imaging）システムの高度な概略的ブロック図である。
【図２】図２は、０でない一次傾斜磁場モーメント（ｍ１）を伴うＦＳＤ（Flow-Spoiled  Dephasing）プリパルスを利用して、続くＭＲＩデータ収集パルスシーケンスにおいて流れるスピンの位相を分散させる典型的なＭＲＩデータ収集パルスシーケンスの概略図である。
【図３Ａ】図３Ａは、一次傾斜磁場モーメント（ｍ１）を非常に低く調整してＤＡ画像を収集した場合のＦＳＤ  ＭＲＡの結果を示す図である。
【図３Ｂ】図３Ｂは、一次傾斜磁場モーメント（ｍ１）を非常に高く調整してＤＡ画像を収集した場合のＦＳＤ  ＭＲＡの結果を示す図である。
【図４】図４は、異なる一次傾斜磁場モーメント値（ｍ１値）について、流れの速い動脈、流れの遅い動脈及び静脈における血流から生じた標準的なＭＲＩ信号応答を正規化して示すグラフである。
【図５】図５は、異なるパラメータを用いて収集した複数のＤＡ画像を合成することでハイブリッド画像を得るための典型的な合成アルゴリズムの概略図である。
【図６】図６は、典型的な合成アルゴリズムの詳細を示す図である。
【図７】図７は、動脈信号が強調されたＭＲＡ画像である。
【図８Ａ】図８Ａは、ハイブリッド画像を示す図である。
【図８Ｂ】図８Ｂは、中央若しくは中間の一次傾斜磁場モーメント値（ｍ１値）を用いて得られた画像を示す図である。
【図９Ａ】図９Ａは、従来のＭＲＡ画像に対してハイブリッド画像を用いた場合に示される改善を示す図である。
【図９Ｂ】図９Ｂは、従来のＭＲＡ画像に対してハイブリッド画像を用いた場合に示される改善を示す図である。
【図１０】図１０は、典型的な実施形態において利用できる典型的なコンピュータプログラムコード構造体を、オプションとして用意されたオペレータによる入力とともに示す概略的フローチャートである。
【発明を実施するための形態】
【０００８】
図１に示すＭＲＩ（Magnetic  Resonance  Imaging）システムは、架台部１０（概略的な断面で図示）、及び、架台部１０と接続された複数の関連するシステム構成要素２０を含む。少なくとも架台部１０は、遮蔽された室内に設置される。図１に示すＭＲＩシステムは、実質的に同軸円筒状の静磁場Ｂ0磁石１２と、Ｇx、Ｇy及びＧzの傾斜磁場コイルのセット１４と、ＲＦコイルアセンブリ１６とを含む。これらの構成要素が形成する円筒状の配列の水平軸に沿って、寝台１１によって支持された患者９の頭部を実質的に包含する撮像空間１８がある。
【０００９】
ＭＲＩシステムコントローラ２２は、ディスプレイ２４、キーボード２６及びプリンタ２８に接続された入出力ポートを備える。ディスプレイ２４は、制御の入力を行うことも可能なタッチスクリーンであってもよい。
【００１０】
ＭＲＩシステムコントローラ２２は、ＲＦトランスミッタ３４及び送受信スイッチ３６（送信及び受信の両方について同一のＲＦコイルを使用する場合）に加えて、Ｇｘ、Ｇｙ及びＧｚ傾斜磁場コイルドライバ３２を制御するＭＲＩシーケンスコントローラ３０に接続する。ＭＲＩシーケンスコントローラ３０は、異なる一次傾斜磁場モーメント値（ｍ１値）を有するＦＳＤ（Flow-Spoiled  Dephasing）プリパルスを、既に利用可能な他の（例えば従来の）ＭＲＩパルスシーケンスと組み合わせて使用することで、ＭＲＡデータ取得パルスシーケンス（撮像パルスシーケンス、パルスシーケンス）を実現するために適切なプログラムコード構造体３８を含む。
【００１１】
システム構成要素２０は、ＲＦレシーバ４０を含む。ＲＦレシーバ４０は、ディスプレイ２４に出力する画像を生成するために、ＭＲＩデータプロセッサ４２への入力を提供する。ＭＲＩデータプロセッサ４２は、ハイブリッド画像再構成プログラムコード構造体４４、及び、（例えば、典型的な実施形態における処理、及び、ハイブリッド画像再構成プログラムコード構造体４４によって得られたＭＲＡ画像データを保存するための）ＭＲＡ画像メモリ４６にアクセスするように構成される。
【００１２】
図１は、ＭＲＩシステムの多様なデータ処理構成要素からアクセスでき、コンピュータ可読形式の保存媒体に（例えば、非造影剤ＭＲＡのハイブリッド画像の再構成や、これに対するオペレータによる入力などに関する）プログラムコード構造体を格納するＭＲＩシステムプログラム格納装置５０の概要も示す。プログラム格納装置５０は、分割することが可能であり、少なくとも一部は、（共通の場所に格納し、ＭＲＩシステムコントローラ２２に直接接続するのではなく）システム構成要素２０の処理コンピュータの内、格納されているこのプログラムコード構造体を通常の処理において直ちに必要とする別のコンピュータに直接接続することができる。
【００１３】
実際には、図１の描写は、非常に高度に単純化された典型的なＭＲＩシステムの図に、後述する典型的な実施形態を実施できるように改変を加えたものとなっている。システム構成要素は、「ボックス（各構成要素）」の異なる論理的集合に分けることが可能であり、また、一般的に多数に上るデジタル信号プロセッサ（ＤＳＰ（Digital  Signal  Processors））、マイクロプロセッサ、専用処理回路（高速Ａ／Ｄ変換、高速フーリエ変換、配列処理など）からなる。これらのプロセッサは、それぞれ、クロック設定された「状態機械（状態が遷移する機械）」であり、その物理データ処理回路がクロック周期毎に（又は、所定数のクロック周期毎に）ある物理状態から別の物理状態へと進む。
【００１４】
処理回路（例えば、ＣＰＵ（Central  Processing  Unit）、レジスタ、バッファ、演算装置など）の物理状態は、処理が行われていく中でクロック周期毎に漸次変化し、対応するデータ格納媒体（例えば、磁気記憶媒体のビット格納位置）の物理状態は、システムの動作中にある状態から別の状態へと移行する。例えば、ハイブリッドＭＲＡイメージングの再構成プロセスの終了時には、物理的格納媒体にあるコンピュータ可読形式でアクセス可能なデータ値格納場所の配列は、前の状態（例えば、すべて一様に「０」の値又は「１」の値になっている状態）から、配列の物理的場所における物理状態が現実の物理的事象及び状況（例えば、撮像空間内にある患者の動脈）を表すように最小値と最大値の間で変動する新しい状態に移行する。格納されたデータ値のこのような配列は、命令レジスタに順次ロードされＭＲＩシステムの１以上のＣＰＵによって実行されるときに演算状態を特定の順序に並べ替えてＭＲＩシステム内において遷移させるコンピュータ制御プログラムコードの特定の構造体と同様に、ある物理的構造体を表現し構成する。
【００１５】
以下に示す典型的な実施形態では、データの収集や、ＭＲＡ（Magnetic  Resonance  Angiography）画像の生成及び表示を行う改善された手法を示す。
【００１６】
非造影の磁気共鳴血管撮像（ＭＲＡ）法においては、外因性造影剤を使用せずに、動脈静脈脈管構造のＭＲ画像を生成する。以下に示す典型的な実施形態では、静脈によるコンタミネーション（例えば、動脈と静脈とが重なることによる画像の見難さ）を回避し、背景に対する動脈のコントラストを高めた非造影のＭＲＡ画像を生成すること、又はその逆（すなわち、静脈が強調された非造影のＭＲＡ画像を生成すること）を目的とする。
【００１７】
心拍サイクル内における様々なＦｌｏｗ−ｄｅｐｈａｓｉｎｇ傾斜磁場モーメント（例えば、一次傾斜磁場モーメント）又は時相（例えば、心拍サイクルにおける遅延時間（例えば、Ｒ波のピーク値から信号収集までの遅延時間）、若しくはその両方によって収集された画像データのＮ個のセットは、静脈による（若しくはその反対に動脈による）コンタミネーションを最小限にしつつ、動脈の（若しくはその反対に静脈の）信号を最大化するハイブリッド再構成アルゴリズムを使用して、合成される。この処理は、ユーザによる入力を最小限に抑えて、自動又は半自動で行うことができる。理想的又は最適化されたパラメータを取得するためのキャリブレーション撮像は、基本的に不要である。
【００１８】
従来の非造影ＭＲＡ法において一般的なものは、動脈が明るい（信号値が高い）画像（ＢＡ（Bright  Artery）画像、すなわち、動静脈が明るい画像）及び動脈が暗い（信号値が低い）画像（ＤＡ（Dark  Artery）画像、すなわち、静脈は明るいが動脈は暗い画像）という２つの画像データを取得することが基本となっているものである。ＢＡ画像データからＤＡ画像データを（ピクセル毎に）減算（サブトラクション）することで、ＭＲＡ画像Ｉを生成する。
Ｉ＝ＢＡ−ＤＡ       （式１）
【００１９】
最終的なサブトラクション画像Ｉは、理想的には動脈のピクセルからの信号のみを含んでいる。結果として得られるサブトラクション画像データは、一般的に最大輝度投影（ＭＩＰ（Maximum  Intensity  Projection））フォーマットで表現され、患者の体を三次元画像化する。
【００２０】
ＦＳＤ（Flow-spoiled  Dephasing）と呼ばれる非造影ＭＲＡ法は、０でない一次傾斜磁場モーメント（ｍ１）を有する傾斜磁場プリパルスモジュール（すなわち、診断用のＭＲＩ取得パルスシーケンスにおける最初の部分。例えば、図２を参照）を使用して、流れるスピンの位相を分散（ディフェーズ）させてＤＡ画像（動脈が暗い画像）を取得する。
【００２１】
０（空集合）のゼロ次傾斜磁場モーメントと０でない一次傾斜磁場モーメントを組み合わせると、流れるスピンの位相は分散するが、静止している（背景の）スピンには影響を与えない。一次傾斜磁場モーメントのベクトル方向（ディフェーズパルス（傾斜磁場プリパルス）の印加の方向）は、傾斜磁場のチャネル（ｘ、ｙ、ｚ）のいずれか又は全てに同時に存在する一次傾斜磁場モーメントを用いて操作することができる。このように、一次傾斜磁場モーメントは、ベクトル方向に沿って選択的にスピンが分散されるように、設計することができる。位相が分散した、流れるスピンの信号は、画像データの中で減衰する。信号減衰の程度は、一次傾斜磁場モーメントの強さ及び流速と直線的にではないが比例する（図４）。動脈は静脈と比較して概して流速が大きく、心拍サイクルによる脈動の影響をより強く受ける。したがって、動脈は静脈よりも信号減衰が大きいと考えられ、心臓の収縮期には更にこの減衰が大きくなると考えられる。
【００２２】
ＦＳＤプリパルスモジュールは、従来から存在する任意のＭＲＩ診断のリードアウトスキャンシーケンス（例えば、ｂＳＳＦＰ（Balanced  Steady-State  Free  Precession）、ＦＡＳＥ（Fast  Asymmetric  Spin  Echo又はFast  Advanced  Spin  Echo）など）に付加することができる。一般的に、リードアウトのデータ取得は小さい血管系を十分な解像度で描くために薄い断面で構成された三次元のデータである。ＦＳＤプリパルスモジュールは、一般的には双極（ｂｉｐｏｌａｒ）の傾斜磁場と、ＲＦパルスの９０°−１８０°−９０°の組み合わせである。ＤＡ画像の撮像では、一般的に、一次傾斜磁場モーメント（ｍ１）は、調整された０以外の何らかの値に設定される。ＢＡ画像の撮像では、一般的に、一次傾斜磁場モーメント（ｍ１）は、小さい値又は０に設定される。
【００２３】
ここではＦＳＤを例に挙げて説明したが、開示された手法は、減算に基づいて非造影に流体を描出するためのＭＲＩ撮像法に同様に適用することができる。これには、例えば、ここに述べるＦＢＩ（Fresh  Blood  Imaging）や、異なる名称で同様の非造影ＭＲＡ法（脳脊髄液（ＣＳＦ（Cerebral  Spinal  Fluid））を含む）を含む。ＦＳ−ＦＢＩ（Flow−Spoiled  ＦＢＩ）を詳しく説明すると、ＦＳ−ＦＢＩは、ＦＢＩを改良した技術であり、ＦＳＤのようなプリパルスではなく、エコートレイン中のディフェーズパルス（flow−spoiled  dephasingパルス）を用いることで、例えば、静脈の信号と比較して動脈の信号の信号値を低くする。これらの非造影ＭＲＡ法の一般的なものは、ＥＣＧ（Electrocardiogram）同期若しくはＰＰＧ（Photoplethysmograph）同期を用いるという共通点を有し、Ｔ1強調撮像法に基づく従来の造影ＭＲＡ法や非造影ＭＲＡ法（例えば、ＴＯＦ（Time  Of  Flight））とは対照的に、Ｔ2強調撮像手法を用いるという共通点を有する。非造影のＴ2強調撮像法は、撮像時間を短縮するために、要求されていないにも関わらず、しばしばＦＳＥ（Fast  Spin  Echo）パルスシーケンスを用いて実行される。
【００２４】
図２は、９０°−１８０°−９０°ＲＦプリパルスモジュールを含むＦＳＤパルスシーケンスを概略的に示した図である。複数回のＤＡ画像の撮像については、（図示するように）一次傾斜磁場モーメント（ｍ１）が含まれているが、取得されるＤＡ画像データによってその強度は異なる。ＢＡ画像の撮像については一次傾斜磁場モーメント（ｍ１）が０に設定される。
【００２５】
従来、以下の２種類の画像が取得される。
・ｍ１＝０のとき、心拡張期の動脈が明るい画像（ＢＡ）
・ｍ１≠０のとき、心収縮期の動脈が暗い画像（ＤＡ）
【００２６】
続いて、ＢＡ画像からピクセル毎にＤＡ画像を減算して最終的なＭＲＡ画像が生成される。上述したように、これは非造影ＭＲＡ法のＦＢＩ（Fresh  Blood  Imaging）も同様である。
【００２７】
残念ながら、従来のＦＳＤでは、一次傾斜磁場モーメントプリパルスモジュールは、流れるＭＲスピン全てについて、ある程度の位相ずれを発生させる。取得されたＭＲＩ信号の減衰は、核スピンの速度に直線的にではないが比例する（図４）。流れが速くなるほど信号の減衰は大きくなる。一次傾斜磁場モーメント（ｍ１）が小さすぎると、特に流れの遅い動脈では、動脈がＤＡ画像の中で十分に減衰されなくなる。したがって、最終的なＢＡ−ＤＡサブトラクション画像からこれらのピクセルの値を減らす必要がある（例えば、図３Ａでは、一次傾斜磁場モーメント（ｍ１）が小さすぎるサブトラクション画像における最大輝度投影（ＭＩＰ）を示している）。同様に、一次傾斜磁場モーメント（ｍ１）が大きすぎると、ＤＡ画像の中で静脈流も減衰する場合がある（例えば、図３Ｂでは、一次傾斜磁場モーメント（ｍ１）が大きすぎるサブトラクション画像における最大輝度投影（ＭＩＰ）を示している）。静脈の減衰は、最終的なＢＡ−ＤＡサブトラクション画像中の静脈ピクセル位置でのコンタミネーションを発生させる（図３Ａ及び図３Ｂ中の矢印を参照）。弱い動脈信号を図３Ａ中の矢印で、静脈のコンタミネーションを図３Ｂ中の矢印で示している。この問題は特に、患者の末梢血管において、通常、静脈が動脈と直に隣接する場所にある場合に混乱の原因となる。
【００２８】
したがって従来のＦＳＤでは、一般的に（ａ）一次傾斜磁場モーメント（ｍ１）が小さすぎるために動脈信号が消失したり、（ｂ）一次傾斜磁場モーメント（ｍ１）が大きすぎるために静脈によるコンタミネーションが入り込んだりすることによる問題を防止するために、最適な傾斜磁場プリパルスモジュールの一次傾斜磁場モーメント（ｍ１）についてキャリブレーションを行う必要がある。このキャリブレーションの手順は、２Ｄ断面を選択することによって検査毎に撮像空間の一部について理想的な一次傾斜磁場モーメント（ｍ１）を推計して行うことができる。代わりに、別の研究において代表的なコホート（cohort、統計上の群）についてＦＳＤ検査を実施して求めた集団の平均に基づいて、理想的な一次傾斜磁場モーメント（ｍ１）を推計することもできる。このようなキャリブレーション作業によって余分な手間が発生し、不要な時間を消費することになる。誤りを発生させ得る原因も増える。
【００２９】
最も重要なのは、単一の一次傾斜磁場モーメント（ｍ１）値を使用することで、撮像対象の一部について最適ではない脈管構造が描かれる結果になる可能性があることである。検査のたびに理想的な一次傾斜磁場モーメント（ｍ１）値のキャリブレーションを行う場合、一般的に２Ｄ断面内の限られた一部の血管を基にして推定を行う。この１枚の２Ｄ断面には３Ｄ撮像対象全体のごく一部しか含まれない。流速及び脈動は撮像対象内でも血管によって大きく異なるため、この２Ｄ断面による方法で推定した理想的な一次傾斜磁場モーメント（ｍ１）では脈管構造の大部分について最適ではない結果を生じることがある。理想的な一次傾斜磁場モーメント（ｍ１）を集団の平均に基づいて推定すれば、脈管構造の中で最適な結果が得られない部分が生じだけでなく、個々の検査対象それぞれについても適切な結果が得られない可能性がある。
【００３０】
しかしここで、以下に述べる手順でハイブリッド画像を用いることにより、（ａ）動脈信号が増強され、（ｂ）静脈によるコンタミネーションが減少した最終的なサブトラクション画像Ｉが得られる実用的なＦＳＤを実現することができる。あるいは、ハイブリッド画像自体が（動脈又は静脈が強調された）ＭＲＡの出力画像として十分であることもあるため、最終的なサブトラクション画像が不要となる場合もある。
【００３１】
例えば、複数（Ｎ個）のデータセット（Ｎ≧２）を取得する。通常、何らかの形式によりＦＳＤを実行する場合には、異なる一次傾斜磁場モーメント（ｍ１）値におけるＤＡ画像の複数のセットを取得する。例（図４）では、Ｎ＝３個の画像セット（基準、中間、最大）を取得している。基準画像はｍ１＝０（心拡張期）、中間画像はｍ１＝中間値（心収縮期）、最大画像はｍ１＝最大値（心収縮期）となっている。静脈、流れの遅い動脈及び流れの速い動脈の血液中にある磁気共鳴血球核によるＭＲＩ信号を、ｍ１の関数としてプロットしたものが図４である。基準、中間及び最大の３個の画像データセットが（ｍ１軸に×印で示された位置において）得られる。各血管のタイプについて選択されたこれらのｍ１値における信号を、信号曲線上に丸印（○）で示している。
【００３２】
ここに示す方法は、ハイブリッド再構成アルゴリズムを用いて、静脈信号を最小化しながら動脈信号を最大化（又はその反対）するものである。例えば、異なるＮ個（Ｎ≧２）の画像セットは、撮像パルスシーケンスのパラメータとして、異なるＦｌｏｗ−ｄｅｐｈａｓｉｎｇモーメント（ｍ１）（例えば、一次傾斜磁場モーメント）を用いること、又は、異なる心拍サイクル内における時相（例えば、心拍サイクルにおける遅延時間（例えば、Ｒ波のピーク値から信号収集までの遅延時間）を用いること、若しくはその両方を用いることによって取得することができる。例えば、収縮期の同一の遅延時間にて、異なる一次傾斜磁場モーメント（ｍ１）値を用いること、又は、異なるベクトル方向（ディフェーズパルス（傾斜磁場プリパルス）の印加の方向）を用いること、若しくはその両方を用いることによって取得することができる。また、異なる遅延時間にて、同一の一次傾斜磁場モーメント（ｍ１）を用いることによって取得することができる。あるいは、異なる一次傾斜磁場モーメント（ｍ１）値、ベクトル方向、及び遅延時間の組み合わせを採用することもできる。これらの画像が、各入力データセットに対応する既知のｍ１又は心拍サイクル若しくはその両方に基づいて、各要素の相対的信号について演繹的な推定を行うことによって、動脈、静脈及び背景のピクセルを相互に分離するアルゴリズムに入力される。それぞれの入力データセットのピクセルデータは（例えば、選択的ピクセル置換アルゴリズムを使用して）合成され、ハイブリッド画像セットが生成される。このハイブリッド合成アルゴリズムは、固定値又はユーザの選択に基づく入力によって調整されるパラメータで操作する。ハイブリッド画像セットを減算プロセス（例えば、ＦＳＤ）で使用して、動脈信号が最適化され静脈信号を最小に抑えた最終的なＭＲＡ画像を生成することができる。又は、前記ハイブリッド画像自体をＭＲＡの出力画像として使用できる。
【００３３】
単純なサブトラクション（式１）の代わりに、各画像セットのピクセルデータを合成アルゴリズムの入力に使用してハイブリッド画像セットＸ（図５）を生成することができる。この合成アルゴリズムでは、少なくとも２個のピクセルデータセットを相互に比較して、与えられた画像データセットの各ピクセル（画素）が、動脈部分、静脈部分又は背景から生じたものかどうかについて高度な推測を行う。出力される典型的なハイブリッド画像データセットＸは、複数（Ｎ個）の異なる画像データセットのひとつから選択的に得られた（ハイブリッド画像データセット内の）各Ｘ（ｘ，ｙ，ｚ）位置におけるピクセル値（画素値）を使用して生成することができる。この後、このハイブリッド画像セットＸを通常の減算式で使用して、改善された最終的なＭＲＡ画像Ｉを生成するか、ハイブリッド化アルゴリズムが適切に設計されている場合には、ハイブリッド画像データセット自体を改善された最終的なＭＲＡ画像Ｉとして使用することができる。
【００３４】
例えば、以下のように一次傾斜磁場モーメント（ｍ１）値においてＮ個の画像データセット（Ｎ≧２）を取得することができる。
・基準：ｍ１＝０
・中間：ｍ１＝中間値
・最大：ｍ１＝高値
【００３５】
次に、結果として得られる０以外の一次傾斜磁場モーメント（ｍ１）値に対応するＮ−１個（すなわちこの例では２個）のデータセットを、取得したピクセルデータ値の差を用いて、取得した特定の画像のあるピクセルが動脈のものか静脈のものかを推定し、ハイブリッド画像データセットＸに（例えば選択的ピクセル置換アルゴリムによって）合成する。続いて、ハイブリッド画像データセットＸをＤＡ画像データセットとして用いることで、最終画像Ｉを計算することができる。
Ｉ（最終）＝ＢＡ（動脈が明るい）−Ｘ（ＤＡハイブリッド）       （式２）
【００３６】
図５は、非造影ＭＲＡ画像の減算用のハイブリッド画像データセットＸを生成することができる一般的な合成アルゴリズムを示している。図６は、ハイブリッド画像データセットＸを生成する合成アルゴリズムのより具体的な例を示している。示されている判定アルゴリズムを用いて全てのデータセット（基準、中間、最大）について所定の位置（ｘ，ｙ，ｚ）におけるピクセルデータを評価し、ハイブリッド画像データセットＸ内のＸ（ｘ，ｙ，ｚ）の値を充填する。
【００３７】
合成プロセスには多くの異なる形態があり得る。Ｎ＝３個の画像セットによるこの例では、図６のプロセスで十分である。ピクセルが動脈のものか静脈のものかを判断するために閾値パラメータ（ε）を使用する。中間のｍ１値のピクセルデータが基準値よりも大幅に小さい場合には動脈のものと判断され（図４参照）、したがってアルゴリズムはＸ（ｘ，ｙ，ｚ）を（ｘ，ｙ，ｚ）における最大のｍ１値の画像データセットによるデータで充填し、この位置（ｘ，ｙ，ｚ）における信号を最大化する。中間のｍ１値のピクセルデータが基準値に近似する場合には、背景又は静脈のものと判断され、したがってアルゴリズムはＸ（ｘ，ｙ，ｚ）を（ｘ，ｙ，ｚ）における中間のｍ１値のピクセルデータセットによるデータで充填し、静脈によるコンタミネーションを防止する。閾値εの選択は自由に調整したり、各解剖学的組織について以前の計測に基づく固定値を選択したりすることができる。また、閾値εを（例えば、後処理の中で）ユーザがインタラクティブに調整することもできる。いずれの方法においても、閾値εの選択は、再構成された出力にのみ影響を与える。入力データには影響を与えないため、閾値εについての最終判断をデータの取得に先立って確定する必要はない。このようにしてハイブリッド画像Ｘが生成される。ハイブリッド画像Ｘの生成には、多くの異なるハイブリッド化のアルゴリズム／プロセスを採用することができる。ピクセルの充填／置換が賢明に行われれば、ハイブリッド画像Ｘ自体をＭＲＡの出力画像として十分に使用できることがある。
【００３８】
典型的な実施形態を実現するための典型的なコンピュータプログラムコード構造体の概略的なフローチャートを図１０に示す。ここでは、１００でハイブリッドＭＲＡルーチンが開始し、格納されているデータ取得パラメータ（撮像パルスシーケンスのパラメータ、例えば、ｍ１値）が１０２で格納装置から適宜呼び出されている。他の必要な初期化プロセスがこの時点で行われることもある。
【００３９】
判定を行う１０４では、オペレータに予め格納されている撮像パラメータを必要に応じて変更するための選択肢が（例えば、制御ディスプレイの画面／キーボード、又はタッチスクリーンなどにより）示される。選択が行われた場合には、続いて、オペレータのユーザインターフェース１０６において、取得する画像の数、ｍ１パラメータの低、中、高レベルの値、閾値パラメータの特定値などのパラメータの決定／変更をオペレータが行うことができる。選択を行わなかった場合には、格納済みの撮像パラメータをステップ１０８において利用して、Ｎ個のＭＲＩデータセットを異なるｍ１値を用いて取得する。特にこの典型的な実施形態では、少なくともひとつのＢＡ画像及び複数のＤＡ画像を（例えば、別々のＭＲＩパラメータ又は心拍サイクルのパラメータ若しくはその両方を使用して）取得する。
【００４０】
その後のステップ１１０において、ハイブリッド画像データセットＸが（例えば、必要とされる任意のアルゴリズムに従って）生成され、ステップ１１２でサブトラクションＭＲＡ画像が生成される。ステップ１１４において、その画像が格納装置又はディスプレイ（若しくはその両方）に（直ちに、又は後から、ＭＲＩシステムコンソール又は必要に応じてリモートから）出力され、その後、リターンステップ１１６において適宜他のプログラムコード構造体に戻ることによってハイブリッドＭＲＡルーチンが終了される。
【００４１】
このハイブリッド化手法は、流れの遅い動脈においても、静脈によるコンタミネーションを最小限にしてはっきりと動脈を描画したＭＲＡ画像データを提供することが基本的な長所である（図７、８Ａ及び８Ｂ）。動脈信号は８０〜１００％強調することができ（図９Ａ）、静脈によるコンタミネーションは殆ど０にまで減らすことができる（図９Ｂ）。
【００４２】
ハイブリッド化手法のその他の長所として、ＦＳＤプロセスにおいて一次傾斜磁場モーメント（ｍ１）の正確なキャリブレーションを行う負担が解消される。従来のＦＳＤの手法では、動脈信号の最大化と静脈によるコンタミネーションの最小化との均衡をとるためにＤＡ撮像のｍ１値を慎重に選択する必要がある。新たなハイブリッド化手法では、ｍ１の最大値を固定することができる。中間範囲のデータセットに関するｍ１の選択が単純になっている。一部の流れでは位相ずれを発生させるためにｍ１が十分に大きくなくてはならないが、静脈を強く減衰させしまうため、強すぎてはならない。ｍ１の選択が簡単になったことでキャリブレーションの手順も不要になり、ＦＳＤイメージングの頑健性が向上する。
【００４３】
図８Ａは、例として示したハイブリッド化手法で生成されたサブトラクション画像のＭＩＰを示している。動脈信号は、図８Ｂに示したｍ１＝中間のデータのみを使用して生成したＭＩＰ画像と比較して、末梢動脈で強くなっている。図９Ａは、従来型の中間画像（図８Ｂ）に対するハイブリッド画像（図８Ａ）による改善を示している。ここでは、白い部分が目的の信号強度の改善が見られていることを示している。図９Ｂは、従来型の最大画像（図３Ｂ）がハイブリッド画像（図８Ａ）でどのように改善されたのかを示している。ここでは、黒いピクセルが最終画像から削除することが望ましい信号を示している。図９Ａと９Ｂはいずれも、灰色が中立（すなわち従来のＦＳＤからの変化なし）を示している。
【００４４】
前述のように、合成アルゴリズムの式には多数の形態がある。例えば、各データセットの個々のピクセルを相互に比較することができる。Ｎ＝３を使用した上記の例では、基準と中間、中間と最大、及び基準と最大の比較を３個の異なる閾値パラメータについて行うことができる。他の例では、算術的な比較を、あてはめ関数によって（例えば、予め準備された関数に数値を代入する（あてはめる）ことによって判断結果を出力する手法によって）置き換えることができる。信号とｍ１との関係は、正弦曲線又は同様の数学的関数によって分析的に記述することができるため、各セットからのピクセルデータを分析関数にあてはめることができる。算術的比較と同様に、結果として得られるあてはめパラメータ（例えば、関数に数値が代入されたことによって得られた結果としての数値）を使用してピクセル位置の特性（動脈、静脈又は背景）の判断を行うことができる。
【００４５】
合成アルゴリズムも最終のＭＲＡ画像セットＩを出力するように（例えば、ＢＡ−Ｘ＝Ｉの典型的な分離減算ステップをスキップするように）設計することができる。この場合、取得した複数の画像からのピクセル値の選択は、ハイブリッド画像自体に目的とする（動脈又は静脈の）ピクセル値のみを識別して含めるようにする。
【００４６】
また、ここに記述したプロセスは、減算を基本とする任意のＭＲＡ法に適用することができる。ＦＳＤに限らず、ＦＳ−ＦＢＩなどの他の手法とも組み合わせて適用することができる。ＦＳ−ＦＢＩにおいては、flow  dephasing効果は、ＦＳＤのような分離されたプリパルスモジュールの部分ではなく、データ収集に用いられるＦＳＥ（Fast  Spin  Echo）に基づくパルスシーケンスのＲＦエコートレインに内在する。調整されたリードアウト、位相エンコード、スライス選択の傾斜磁場がエコートレインの各ＲＦエコーに続く。効果を与えるｍ１  ｆｌｏｗ−ｄｅｐｈａｓｉｎｇベクトルの大きさ及び方向は、コントロールすることができる。このように、異なるＦＳ−ＦＢＩデータセットは、異なる傾斜磁場モーメント（ｍ１）を用いることで、又は異なる心拍サイクルの位相遅延を用いることで、又はその両方で、収集することができる。異なるデータセットは、異なるｍ１値、異なるｍ１の方向、異なるtrigger遅延（遅延時間）、もしくはこれらの組み合わせによって収集することができる。上述したＦＳＤの例と同様に、Ｎ個のＦＳ−ＦＢＩのデータセットは、ハイブリッド画像Ｘを生成するために合成されることができる。または、続いて、動脈を最適化した画像Ｉ又は静脈を最適化した画像Ｉを生成するための減算に用いられることができる。
【００４７】
また、実施形態において適用される被検体内を流れる流体としては、血液に限定されず、ＣＳＦ（脳脊髄液）、リンパ液、胆液（bile）、膵液（pancreatic  juice）などにも同様に適用することができる。一般に、ここで表現されるプロセスは、ある流体からの信号を、他の移動する流体や背景から分離することを支援することができる。ＭＲの流体の緩和特性（例えば、Ｔ1、Ｔ2、Ｔ2＊（スター））に頼るのではなく、その流れの特性に頼るだけである。仮に、分離される流体が、流速、流れの方向、心拍又は呼吸との関係で、流体の近くで混同される可能性のあるものと異なる特性を有するのであれば、一次傾斜磁場モーメントｍ１及びtrigger遅延（遅延時間）の組合せは、これらの特性の違いを活用するように設計されればよい。これらのデータセットは、関心対象の流体の描出を最適化するためにハイブリッドの技術を適用される。
【００４８】
すでに述べたように、ここに記述したプロセスを使用して、静脈造影用に静脈に最適化したＭＲＡ画像を生成することができる。つまり、合成アルゴリズム又は減算プロセス、もしくはその両方に変更を加えることにより、動脈信号を最小化する一方で静脈信号を最大化することができる。また、他の例では、ＣＳＦ（脳脊髄液）は、動脈又は静脈よりも流速が遅いという特性を有する。このため、この流体の特性は、血液のような流速の速い流体とＣＳＦとを区別するために活用することができる。
【００４９】
従来のＦＳＤでは、取得が必要なのはＮ＝２個の画像セットのみであった。したがって、従来の手法では（Ｎ−２）／２に比例する分の時間が節減できる。例えば前記の新しいハイブリッド手法によるＮ＝３個の検査では、従来のＦＳＤよりも５０％長い時間がかかる。しかし、新しい方法では、時間のかかるキャリブレーションスキャン及びキャリブレーションデータの処理を省くことができる。キャリブレーションデータの取得と処理にかかる時間は、ひとつのデータセットの取得にかかる時間（一般的に２分間）と同程度であると合理的に推定できる。したがって、Ｎ＝３個の検査又はハイブリッド化では、所要時間は従来のＦＳＤ試験とほぼ同程度となる。
【００５０】
上述してきたように、実施形態に係る磁気共鳴イメージング装置（例えば、ＭＲＩシステム）は、収集部と、生成部とを備える。収集部は、被検体内の流体を撮像し、撮像パルスシーケンスのパラメータが異なる複数の画像を収集する。ここで、「流体」とは、例えば、血液（blood）、脳脊髄液（ＣＳＦ）、リンパ液（lymph）、胆液（bile）、膵液（pancreatic  juice）などである。また、「撮像パルスシーケンス」とは、例えば、ＦＳＤやＦＳ−ＦＢＩなどのパルスシーケンスである。また、「撮像パルスシーケンスのパラメータ」とは、例えば、流体のスピンをディフェーズさせるディフェーズパルス（例えば、読み出し傾斜磁場パルスに付加される）の傾斜磁場モーメントの値、ディフェーズパルスの印加の方向、心拍サイクルにおける遅延時間（例えば、Ｒ波のピーク値から信号収集までの遅延時間）、又はこれらの組合せなどである。描出対象の流体が、例えば、流速、流れの方向、心拍又は呼吸との関係で、流体の近くで混同される可能性のあるものと異なる特性を有するのであれば、これらのパラメータは、これらの特性の違いを活用するように設計されればよい。例えば、収集部は、ＦＳＤやＦＳ−ＦＢＩなどのパルスシーケンスにおいて、これらのパラメータが互いに異なる収集を行い、複数の画像を収集する。また、生成部は、画像内の各位置における画素値を、複数の画像のうち少なくともひとつの画像から選択し、選択した各位置における画素値を用いてハイブリッド画像を生成する。
【００５１】
また、実施形態に係る収集部は、例えば、被検体の心収縮期にパラメータが異なる複数の画像を収集し、生成部は、各位置における画素値を、心収縮期に収集された複数の画像のうち少なくともひとつの画像から選択してハイブリッド画像を生成する。
【００５２】
また、実施形態に係る生成部は、例えば、被検体の静脈に対応する位置においては高い画素値を選択し、被検体の動脈に対応する位置においては低い画素値を選択する。あるいは、実施形態に係る生成部は、例えば、被検体の動脈に対応する位置においては高い画素値を選択し、被検体の静脈に対応する位置においては低い画素値を選択する。
【００５３】
また、実施形態に係る磁気共鳴イメージング装置は、例えば、ハイブリッド画像に基づきサブトラクション画像を生成するサブトラクション画像生成部を更に備える。この場合、収集部は、例えば、被検体の心拡張期に少なくともひとつの画像を収集し、かつ、被検体の心収縮期に複数の画像を収集する。生成部は、例えば、各位置における画素値を、心収縮期に収集された複数の画像のうち少なくともひとつの画像から選択してハイブリッド画像を生成し、サブトラクション画像生成部は、被検体の心拡張期に収集された画像と、ハイブリッド画像との差分を求めることで、サブトラクション画像を生成する。もっとも、実施形態はこれに限られるものではなく、上述したように、例えばハイブリッド画像を生成する合成アルゴリズムの設計次第で、例えば、描出対象の流体の画素値のみがハイブリッド画像に含まれるようにしてもよい。また、例えば、描出対象の流体及び背景の画素値のみがハイブリッド画像に含まれるようにしてもよい。
【００５４】
また、実施形態に係る収集部は、一次傾斜磁場モーメントが異なる複数の画像を収集する。例えば、収集部は、第１の値の一次傾斜磁場モーメントによって心拡張期に画像を収集し、第２の値及び第３の値の一次傾斜磁場モーメントによって心収縮期に複数の画像を収集する。ここで、図４を用いて説明したように、第１の値における被検体の静脈を流れる血液から発生する信号の値、及び、第１の値における被検体の動脈を流れる血液から発生する信号の値を、それぞれの基準値とした場合に、例えば、第３の値は、静脈を流れる血液から発生する信号、及び、動脈を流れる血液から発生する信号の双方が、それぞれの基準値から減衰するものである。また、例えば、第２の値は、第１の値と第３の値との中間値であり、静脈を流れる血液から発生する信号の基準値からの減衰幅が、動脈を流れる血液から発生する信号の基準値からの減衰幅と比較して小さい。
【００５５】
また、実施形態に係る生成部は、例えば、画像内の位置毎に、第１の値によって収集された画像の画素値と、第２の値によって収集された画像の画素値との差分を閾値と比較し、該差分が閾値より小さい場合には、該位置の画素値として第２の値によって収集された画像の画素値を選択し、該差分が閾値より大きい場合には、該位置の画素値として第３の値によって収集された画像の画素値を選択してハイブリッド画像を生成する。
【００５６】
以上述べた少なくとも一つの実施形態の磁気共鳴イメージング装置及び磁気共鳴イメージング方法によれば、流体が適切に描出された画像を収集することができる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１０  架台
１１  寝台
１２  静磁場Ｂ0磁石
１４  Ｇｘ、Ｇｙ、Ｇｚ傾斜磁場コイルセット
１６  ＲＦコイルアセンブリ
１８  撮像空間
２０  システム構成要素
２２  ＭＲＩシステムコントローラ
２４  ディスプレイ
２６  キーボード
２８  プリンタ
３０  ＭＲＩシーケンスコントローラ
３２  Ｇｘ、Ｇｙ、Ｇｚ傾斜磁場コイルドライバ
３４  ＲＦトランスミッタ
３６  送受信スイッチ
３８  プログラムコード構造体
４０  ＲＦレシーバ
４２  ＭＲＩデータプロセッサ
４４  ハイブリッド画像再構成プログラムコード構造体
４６  ＭＲＡ画像メモリ
５０  ＭＲＩシステムプログラム格納装置
【図１】
0005901905.tif 000002
【図２】
0005901905.tif 000003
【図４】
0005901905.tif 000004
【図５】
0005901905.tif 000005
【図１０】
0005901905.tif 000006
【図３Ａ】
0005901905.tif 000007
【図３Ｂ】
0005901905.tif 000008
【図６】
0005901905.tif 000009
【図７】
0005901905.tif 000010
【図８Ａ】
0005901905.tif 000011
【図８Ｂ】
0005901905.tif 000012
【図９Ａ】
0005901905.tif 000013
【図９Ｂ】
0005901905.tif 000014